【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
ダイバーシティ受信機内の復調器フィンガ割当のための方法であって、
ダイバーシティ受信機の複数のアンテナによって受信された複数のセルによって送られた信号を探索し、複数の復調器フィンガへの割り当てのために、１組の可能なマルチパス信号を生成することであって、可能なマルチパス信号の数が、前記ダイバーシティ受信機の復調器フィンガの数より多いことと、
各セルから受信された少なくとも１つのマルチパス信号を復調器フィンガに割り当てることと、
各アンテナによって受信された少なくとも１つのマルチパス信号を復調器フィンガに割り当てることと
を含む方法。
【請求項２】
信号を探索することは、前記セルの疑似ランダムノイズ（ＰＮ）シーケンスと受信された信号との間の相関を測定することを含む請求項１に記載の方法。
【請求項３】
ダイバーシティ受信機デバイスであって、
それぞれが複数のセルから信号を受信するように構成されている複数のアンテナと、
それぞれが個別のアンテナに接続されている複数の受信信号プリプロセッサと、
受信データプロセッサとを備え、前記受信データプロセッサは、
複数のアンテナによって受信された複数のセルによって送られた信号を探索し、複数の復調器フィンガへの割り当てのために、１組の可能なマルチパス信号を生成することであって、可能なマルチパス信号の数が、復調器フィンガの数より多いことと、
各セルから受信した少なくとも一つのマルチパス信号を復調器フィンガに割り当てることと、
各アンテナによって受信された少なくとも一つのマルチパス信号を復調器フィンガに割り当てることと
を行うように構成されたダイバーシティ受信機デバイス。
【請求項４】
移動局である請求項３に記載の受信機デバイス。
【請求項５】
ダイバーシティ受信機を使用する方法であって、
ダイバーシティ受信機の複数のアンテナの各々によって受信された複数のセルによって送られた信号を探索し、複数の復調器フィンガへの割り当てのために、１組の可能なマルチパス信号を生成することであって、可能なマルチパス信号の数が、復調器フィンガの数より多いことと、
１組の可能なマルチパス信号から、最も強いマルチパス信号を、前記復調器フィンガに割り当てることと、
複数の復調器フィンガ割り当てを持つセルから受信された最も弱い信号パスを割り当て解除し、前記割り当て解除された信号を、前記１組の可能なマルチパス信号内に表わされた全てのセルが、復調器フィンガに割り当てられた少なくとも１つのマルチパス信号を持つまで、復調器フィンガ割り当てを持たないセルから受信された最も強いマルチパス信号と交換することと、
複数の復調器フィンガ割り当てを持つ複数のアンテナのうちの１つによって受信された最も弱い信号パスを割り当て解除し、前記割り当て解除された信号を、前記１組の可能なマルチパス信号内に表わされた全てのアンテナが、復調器フィンガに割り当てられた少なくとも１つのマルチパス信号を持つまで、復調器フィンガ割り当てを持たないアンテナによって受信された最も強いマルチパス信号と交換することと、
前記復調器フィンガに割り当てられたマルチパス信号を合成し、最大化された受信信号を生成することと
を含む方法。
【請求項６】
ダイバーシティ受信機デバイスであって、
それぞれが複数のセルから信号を受信するように構成されている複数のアンテナと、
それぞれが個別のアンテナに接続されている複数の受信信号プリプロセッサと、
受信データプロセッサとを備え、前記受信データプロセッサは、
前記複数のアンテナのそれぞれによって受信された複数のセルによって送られた信号を探索し、複数の復調器フィンガへの割り当てのために、１組の可能なマルチパス信号を生成することであって、可能なマルチパス信号の数が、復調器フィンガの数より多いことと、
前記１組の可能なマルチパス信号からの最も強いマルチパス信号を、前記復調器フィンガに割り当てることと、
複数の復調器フィンガ割り当てを持つセルから受信された最も弱い信号パスを割り当て解除し、前記割り当て解除された信号を、前記１組の可能なマルチパス信号内に表わされた全てのセルが、復調器フィンガに割り当てられた少なくとも１つのマルチパス信号を持つまで、復調器フィンガ割り当てを持たないセルから受信された最も強いマルチパス信号と交換することと、
複数の復調器フィンガ割り当てを持つ複数のアンテナのうちの１つによって受信された最も弱い信号パスを割り当て解除し、前記割り当て解除された信号を、前記１組の可能なマルチパス信号内に表わされた全てのアンテナが、復調器フィンガに割り当てられた少なくとも１つのマルチパス信号を持つまで、復調器フィンガ割り当てを持たないアンテナによって受信された最も強いマルチパス信号と交換することと、
前記復調器フィンガに割り当てられたマルチパス信号を合成し、最大化された受信信号を生成することと
を行うように構成されたダイバーシティ受信機デバイス。
【請求項７】
移動局である請求項６の受信機デバイス。
【請求項８】
移動局であって、
無線ネットワークへの無線接続を確立するアンテナ、送信機、及びモデムと、
複数の復調器フィンガに対する割当のために複数のマルチパス信号を獲得するダイバーシティ受信機と、
制御プロセッサと、
制御プロセッサに接続され、前記制御プロセッサに対して、信号強度、セルダイバーシティ、及び受信チェーンダイバーシティに従って復調器フィンガ割り当てを行うように指示するコード又は命令を持つメモリと
を備えた移動局。
【請求項９】
ダイバーシティ受信機の複数のアンテナによって受信された複数のセルによって送られたマルチパス信号を発見することであって、発見されたマルチパス信号の数は、前記ダイバーシティ受信機内の復調器フィンガの数より多いことと、
前記復調器フィンガに、最も強いマルチパス信号を割り当てることと、
第一のセルが、復調器フィンガに割り当てられた少なくとも１つのマルチパス信号を持っていない場合、複数の復調器フィンガ割り当てを持つ第二のセルから受信した最も弱い信号パスを割り当て解除することと、
前記割り当て解除された信号を、前記第一のセルから受信した最も強いマルチパス信号と交換することと、
アンテナが、復調器フィンガに割り当てられたマルチパス信号を持っていない場合、各アンテナが、復調器フィンガに割り当てられた少なくとも一つのマルチパス信号を持つことができるように、（ａ）割り当てられていないアンテナによって受信された最も強い信号パスと同じセルからの最も弱い信号パスと、（ｂ）一つより多い復調器フィンガ割り当てを持つセルからの信号パスとのうちの少なくとも一つを割り当て解除することと、
前記割り当て解除された信号を、前記割り当てられてないアンテナによって受信された最も強いマルチパス信号と交換することと
を含む方法。
【請求項１０】
請求項９に記載の方法において、
復調器フィンガに割り当てられたマルチパス信号を持つセルの数が、パワー制御合成器の数よりも多いかを判定することを更に含む方法。
【請求項１１】
請求項１０に記載の方法において、
復調器フィンガに割り当てられたマルチパス信号を持つセルの数が、前記ダイバーシティ受信機におけるパワー制御合成器の数よりも多い場合には、復調器フィンガに割り当てられた最も弱い信号を割り当て解除することを更に含む方法。
【請求項１２】
複数のアンテナと、
複数の復調器フィンガと、
プロセッサと、
メモリとを備え、前記プロセッサは、メモリに格納された命令の集合に、
複数のアンテナによって受信された複数のセルによって送られたマルチパス信号を発見することであって、発見されたマルチパス信号の数は、復調器フィンガの数より多いことと、
前記復調器フィンガに、最も強いマルチパス信号を割り当てることと、
第一のセルが、復調器フィンガに割り当てられた少なくとも１つのマルチパス信号を持っていない場合、複数の復調器フィンガ割り当てを持つ第二のセルから受信した最も弱い信号パスを割り当て解除することと、
前記割り当て解除された信号を、前記第一のセルから受信された最も強いマルチパス信号と交換することと、
アンテナが、復調器フィンガに割り当てられたマルチパス信号を持っていない場合、各アンテナが、復調器フィンガに割り当てられた少なくとも一つのマルチパス信号を持つことができるように、（ａ）割り当てられていないアンテナによって受信された最も強い信号パスと同じセルからの最も弱い信号パスと、（ｂ）一つより多い復調器フィンガ割り当てを持つセルからの信号パスと のうちの少なくとも一つを割り当て解除することと、
前記割り当て解除された信号を、前記割り当てられてないアンテナによって受信された最も強いマルチパス信号と交換することと
を実行させるように構成されている装置。
【請求項１３】
ダイバーシティ受信機の複数のアンテナによって受信された複数のセルによって送られたマルチパス信号を発見する手段であって、発見されたマルチパス信号の数は、前記ダイバーシティ受信機内の復調器フィンガの数より多い手段と、
前記復調器フィンガに、最も強いマルチパス信号を割り当てる手段と、
第一のセルが、復調器フィンガに割り当てられた少なくとも１つのマルチパス信号を持っていない場合、複数の復調器フィンガ割り当てを持つ第二のセルから受信した最も弱い信号パスを割り当て解除する手段と、
前記割り当て解除された信号を、前記第一のセルから受信された最も強いマルチパス信号と交換する手段と、
アンテナが、復調器フィンガに割り当てられたマルチパス信号を持っていない場合、各アンテナが、少なくとも一つのマルチパス信号を、復調器フィンガに割り当てることができるように、（ａ）割り当てられていないアンテナによって受信された最も強い信号パスと同じセルからの最も弱い信号パスと、（ｂ）一つより多い復調器フィンガ割り当てを持つセルからの信号パスと のうちの少なくとも一つを割り当て解除する手段と、
前記割り当て解除された信号を、前記割り当てられてないアンテナによって受信された最も強いマルチパス信号と交換する手段と
を備えた装置。
【手続補正２】
【補正対象書類名】明細書
【補正対象項目名】０００５
【補正方法】変更
【補正の内容】
【０００５】
ＣＤＭＡ受信機は、一般にレーキ受信機を適用する。これは、"DIVERSITY RECEIVER IN A CDMA CELLULAR TELEPHONE SYSTEM"と題され、本発明の譲受人に譲渡され、引用により援用している米国特許登録番号第５，１０９，３９０号（特許文献４）に記載されている。レーキ受信機は一般に、近隣の基地局からの直接的でマルチパスのパイロットを位置決めするための１つ又は複数のサーチャと、これら基地局からの情報信号を受信し、合成する１つ又は複数のマルチパス復調器フィンガとから成っている。サーチャは、２００１年６月２６日に出願された米国特許出願番号第０９／８９２，２８０号であって２００１年１１月２９日に公開された米国公開番号２００１−００４６２０５号である"MULTI-PATH SEARCH PROCESSOR FOR SPREAD SPECTRUM MULTIPLE ACCESS COMMUNICATION SYSTEMS"（特許文献５）と、２００２年３月２６日に発行された米国特許登録番号第６，３６３，１０８号、"PROGRAMMABLE MATCHED FILTER SEARCHER"（特許文献６）に記載されている。これらは共に本願の譲受人に譲渡され、ここで参照により援用する。レーキ受信機は、サーチャ要素とフィンガプロセッサとを用いた順方向又は逆方向リンク上で送信された変調信号を処理する。サーチャ要素は、マルチパスとして知られている受信信号の強いインスタンスをサーチする。フィンガプロセッサは、最も強いマルチパスを処理し、これらマルチパスのための復調シンボルを生成するために割り当てられる。その後、レーキ受信機は、割り当てられた全てのフィンガプロセッサからの復調シンボルを合成して、送信データの推定値である復元シンボルを生成する。レーキ受信機は、複数の信号パスを経由して受信したエネルギーを効率的に合成する。
【手続補正３】
【補正対象書類名】図面
【補正対象項目名】図５
【補正方法】変更
【補正の内容】
【図５】
2005533440.tif 000001